(57)【要約】【課題】１個の商品の取り出しには支障がなく、複数個の商品の瞬時の取り出しを規制する盗難抑止の商品取り出し抑止具を提供すること。【解決手段】多数の陳列商品Ａを吊り下げるフック５２に装着されるものであり、フックが通される貫通孔１２を有するフック挿通部１と、フック挿通部１の両側に接続し、前後方向に所定の長さで延びる一対の翼部２、３と、を有し、一対の翼部の中、一方の翼部２は、前後方向に延びる板状の中央部と、中央部の後端から後方上り傾斜で且つフック挿通部側に回る螺旋面を有する後方部と、中央部の前端から前方下り傾斜で且つ反フック挿通部側に回る螺旋面を有する前方部とからなり、他方の翼部３と一方の翼部２は、フック挿通部の軸心中央を中心に線対称である商品取り出し抑止具。【選択図】図７
2018015030.tif 000002
【特許請求の範囲】
【請求項１】
多数の陳列商品を吊り下げるフックに装着される商品取り出し抑止具であって、
該フックが通される貫通孔を有するフック挿通部と、該フック挿通部の両側に接続し、前後方向に所定の長さで延びる一対の翼部と、を有し、
該一対の翼部の中、一方の翼部は、前後方向に延びる板状の中央部と、該中央部の後端から後方上り傾斜で且つフック挿通部側に回る螺旋面を有する後方部と、該中央部の前端から前方下り傾斜で且つ反フック挿通部側に回る螺旋面を有する前方部とからなり、
他方の翼部は、前後方向に延びる板状の中央部と、該中央部の後端から後方下り傾斜で且つ反フック挿通部側に回る螺旋面を有する後方部と、該中央部の前端から前方上り傾斜で且つフック挿通部側に回る螺旋面を有する前方部とからなることを特徴とする商品取り出し抑止具。
【請求項２】
多数の陳列商品を吊り下げるフックに装着される商品取り出し抑止具であって、
該フックが通される貫通孔を有するフック挿通部と、該フック挿通部の両側に接続し、前後方向に所定の長さで延びる一対の翼部と、を有し、
該一対の翼部の中、一方の翼部は、前後方向に延びる板状の中央部と、該中央部の後端から後方下り傾斜で且つ反フック挿通部側に回る螺旋面を有する第２後方部と、該中央部の前端から前方上り傾斜で且つフック挿通部側に回る螺旋面を有する第２前方部とからなり、
他方の翼部は、前後方向に延びる板状の中央部と、該中央部の後端から後方上り傾斜で且つフック挿通部側に回る螺旋面を有する第２後方部と、該中央部の前端から前方下り傾斜で且つ反フック挿通部側に回る螺旋面を有する第２前方部とからなることを特徴とする商品取り出し抑止具。
【請求項３】
該一方の翼部と該他方の翼部は、正面視形状が、該フック挿通部の軸芯を中心として点対称であることを特徴とする請求項１又は２に記載の商品取り出し抑止具。
【請求項４】
該フック挿通部と該一対の翼部間には、板状の接続部が介在することを特徴とする請求項１〜３のいずれか１項に記載の商品取り出し抑止具。
【請求項５】
該フック挿通部の軸芯が延びる方向に切断した半割部材の一対物の嵌合体であることを特徴とする請求項１〜４のいずれか１項に記載の商品取り出し抑止具。
【請求項６】
切断方向は、更に該中央部の板状の面と平行であることを特徴とする請求項５記載の商品取り出し抑止具。
【請求項７】
該接続部には、半割部材の一対物が嵌合する嵌合用の爪又は嵌合用の孔が形成されていることを特徴とする請求項４〜６のいずれか１項に記載の商品取り出し抑止具。
【請求項８】
該フック挿通部の前後方向長さと、該中央部の前後方向長さが略同じであることを特徴とする請求項１〜７記載の商品取り出し抑止具。
【請求項９】
該フック部材に吊り下げられた商品の前に装着されることを特徴とする請求項１〜８記載の商品取り出し抑止具。 
【発明の詳細な説明】
【技術分野】
【０００１】
本発明は、多数の陳列商品を吊り下げるフックに装着される盗難抑止のための商品取り出し抑止具に関する。
【背景技術】
【０００２】
ホームセンターや量販店においては、小さな箱物商品や小さな袋物商品を多数陳列するため、フック、フック部材あるいはフック陳列具と称される、後方の固定什器から前方へ延びる丸棒部材が陳列用として使用されている。すなわち、小さな箱物商品や小さな袋物商品の上部には、吊り下げ用の孔が形成されており、この吊り下げ用の孔にフックを通して、多数の商品を前後方向に姿勢よく吊り下げて陳列する。
【０００３】
特開２００７-２９１５４号公報には、固定部材に装着される取付部と、該取付部に後端近傍で上下方向に回動自在に枢支される棒状本体部と該棒状本体部の先端から上方へ屈曲する係り止め部とを備える商品吊り下げ用フック部材と、該フック部材の枢支位置より後方側で該フック部材の回動を規制するロック手段とを備え、ロック手段によりロックされた状態が商品陳列姿勢であることを特徴とする商品陳列具（フック陳列具）が開示されている。この商品陳列具によれば、押し付け体や操作バーを必要とせず、簡易な構造でフック部材に吊り下げられた商品を取り出しできる。
【先行技術文献】
【特許文献】
【０００４】
【特許文献１】特開２００７-２９１５４号公報
【発明の開示】
【発明が解決しようとする課題】
【０００５】
フック陳列具は、陳列商品が前方に抜け出ることを防止するため、直状の丸棒の先端部が、やや斜め上方に傾斜しているものの、陳列商品は手前に引くことで容易に取り出せる。近年、１個の単価の高い商品がフック陳列具に多数個、陳列されている。極希ではあるものの、フック陳列具に陳列されている高価な商品を狙った窃盗事件が発生している。この場合、複数個、例えば５個以上が一度に瞬時に抜き出され、被害を防止することが困難な状況にある。一方、これを防止するため、フック陳列具に細工を施し、最前端の陳列商品が抜き取り難くなるようでは、商品の売上に悪影響する。従って、１個の商品の取り出しには支障がなく、複数個の商品の取り出しには時間を要するようなフック陳列具あるいは商品取り出し抑止具であれば、被害の完全防止にはならないものの、被害の抑止にはなり都合がよい。
【０００６】
従って、本発明の目的は、１個の商品の取り出しには支障がなく、複数個の商品の瞬時の取り出しを規制する盗難抑止用の商品取り出し抑止具を提供することにある。
【課題を解決するための手段】
【０００７】
かかる実情において、本発明者は鋭意検討を行った結果、フック陳列具に吊り下げられた特定形状の吊り下げ孔を有する陳列商品の最前端に特定の形状の商品取り出し抑止具を装着すれば、１個の商品の取り出しには支障がなく、複数個の商品の瞬時の取り出しは制限することを見出し、本発明を完成するに至った。
【０００８】
すなわち、本発明は、多数の陳列商品を吊り下げるフックに装着される商品取り出し抑止具であって、該フックが通される貫通孔を有するフック挿通部と、該フック挿通部の両側に接続し、前後方向に所定の長さで延びる一対の翼部と、を有し、該一対の翼部の中、一方の翼部は、前後方向に延びる板状の中央部と、該中央部の後端から後方上り傾斜で且つフック挿通部側に回る螺旋面を有する後方部と、該中央部の前端から前方下り傾斜で且つ反フック挿通部側に回る螺旋面を有する前方部とからなり、他方の翼部は、前後方向に延びる板状の中央部と、該中央部の後端から後方下り傾斜で且つ反フック挿通部側に回る螺旋面を有する後方部と、該中央部の前端から前方上り傾斜で且つフック挿通部側に回る螺旋面を有する前方部とからなることを特徴とする商品取り出し抑止具を提供するものである。
【０００９】
また、本発明は、多数の陳列商品を吊り下げるフックに装着される商品取り出し抑止具であって、該フックが通される貫通孔を有するフック挿通部と、該フック挿通部の両側に接続し、前後方向に所定の長さで延びる一対の翼部と、を有し、該一対の翼部の中、一方の翼部は、前後方向に延びる板状の中央部と、該中央部の後端から後方下り傾斜で且つ反フック挿通部側に回る螺旋面を有する第２後方部と、該中央部の前端から前方上り傾斜で且つフック挿通部側に回る螺旋面を有する第２前方部とからなり、他方の翼部は、前後方向に延びる板状の中央部と、該中央部の後端から後方上り傾斜で且つフック挿通部側に回る螺旋面を有する第２後方部と、該中央部の前端から前方下り傾斜で且つ反フック挿通部側に回る螺旋面を有する第２前方部とからなることを特徴とする商品取り出し抑止具を提供するものである。
【発明の効果】
【００１０】
本発明によれば、陳列商品の吊り下げ孔と商品取り出し抑止具の断面形状が対応している。商品取り出し抑止具の断面形状は、後方から前方にかけて、フック挿通部の軸芯を中心に連続的に回転させたように変化する。従って、最前端の吊り下げ商品を取り出すには、商品取り出し抑止具を回転させながら取り出すか、陳列商品を回転させながら取り出すか、あるいは両者を相互に対応させ回転させながら取り出す。また、一対の翼部の後方部の前後方向の長さを、吊り下げ商品の幅寸法より小とすれば、最前端の吊り下げ商品と最前端から２番目の吊り下げ商品とは、同じ吊り下げ姿勢では、商品取り出し抑止具に通すことはできない。このため、複数個の吊り下げ商品を瞬時には引き出せず、複数個の商品の取り出しには時間を要する。これにより、複数個の陳列商品の盗難を抑止できる。
【図面の簡単な説明】
【００１１】
【図１】本発明の第１の実施の形態における商品取り出し抑止具の斜視図である。
【図２】図１の商品取り出し抑止具の正面図である。
【図３】図１の商品取り出し抑止具の平面図である。
【図４】図１の商品取り出し抑止具の右側面図である。
【図５】図４のＸ-Ｘ線に沿って見た図である。
【図６】図４のＹ-Ｙ線に沿って見た図である。
【図７】図１の商品取り出し抑止具の使用状態図である。
【図８】図１の商品取り出し抑止具の作用を説明する図である。
【図９】図１の商品取り出し抑止具の作用を説明する他の図である。
【図１０】図１の商品取り出し抑止具の作用を説明する他の図である。
【図１１】図１の商品取り出し抑止具と陳列商品の吊り下げ孔との関係図である。
【図１２】図１１の符号Ａにおける商品取り出し抑止具と吊り下げ孔との関係を示す正面図である。
【図１３】図１１の符号Ｂにおける商品取り出し抑止具と吊り下げ孔との関係を示す正面図である。
【図１４】図１１の符号Ｃにおける商品取り出し抑止具と吊り下げ孔との関係を示す正面図である。
【図１５】（Ａ）は、本発明の第２の実施の形態における商品取り出し抑止具の分解斜視図であり、（Ｂ）は、（Ａ）の組み付け体である。
【図１６】（Ａ）は、図１５（Ａ）の正面図であり、（Ｂ）は、図１５（Ｂ）の正面図である。
【図１７】本発明の第３の実施の形態における商品取り出し抑止具の斜視図である。
【発明を実施するための形態】
【００１２】
次に、本発明の第１の実施の形態における商品取り出し抑止具（以下、単に「抑止具」とも言う。）について、図１〜図１４を参照して説明する。本明細書において、「前後」は図７の使用状態における顧客側から見た方向（図２を正面図とする方向）を言う。抑止具１０は、多数の陳列商品Ａｎ（ｎは２以上の整数）を吊り下げるフック５２に装着される樹脂製のチップであって、フック５２が通される貫通孔１２を有するフック挿通部１と、フック挿通部１の両側に接続し、前後方向に所定の長さで延びる一対の翼部２、３と、を有する。フック５２は、直状の円形断面の丸棒本体部５２１と、丸棒本体部５２１の前方端から前方に上り傾斜の先端部５２２とからなる。丸棒本体部５２１の後部は、固定部材５１に接合されている。
【００１３】
フック挿通部１は、中空の円筒状である。中空の内径は、フック５２の外径と同じ又はそれよりやや大である。これにより、抑止具１０は、フック５２に固定されるか、又はフック５２に回動自在に遊嵌する。抑止具１０がフック５２に固定されていると、吊り下げ商品を抜き出す際、吊り下げ商品を回転させながら、取り出すことになる。また、抑止具１０がフック５２に回動自在に装着していると、吊り下げ商品を抜き出す際、吊り下げ商品の吊り下げ姿勢を維持したまま、取り出すことができる。
【００１４】
フック挿通部１の前後方向の長さは、７〜１５ｍｍ程度、あるいは吊り下げ商品の幅寸法よりやや小さめが好ましい。フック挿通部１の前後方向の長さが小さすぎると、取り付け強度が小さくなり、破壊され易く、また、強く引き抜けば、傾斜している先端のフックから前方へ外れ易くなる。また、フック挿通部１の前後方向の長さが大きすぎると、フック５２に吊り下げる商品の設置箇所が減少する。
【００１５】
一対の翼部２、３の中、一方の翼部２は、前後方向に延びる板状の中央部２１と、中央部２１の後端から後方上り傾斜で且つフック挿通部１側に回る螺旋面２２１を有する後方部２２と、中央部２１の前端から前方下り傾斜で且つ反フック挿通部１側に回る螺旋面２３１を有する前方部２３とからなる。中央部２１と後方部２２の境界及び中央部２１と前方部２３の境界は、明確なエッジを形成しておらず、なだらかに形状が変化する。すなわち、中央部２１と後方部２２と前方部２３は、一体化しており、その形状は連続するものである。後方部２２及び前方部２３の最大傾斜角度（α）は、３０〜４０度程度が好ましい。この最大傾斜角度が大きすぎると、最前列の１個の商品でも抜き取り難くなる。この最大傾斜角度が小さすぎると、最前列から２個目以降の商品を取り出し易くなり、盗難抑止効果が低減する。なお、螺旋面を定義する「フック挿通部１側に回る」とは、正面視において上面となる螺旋面が内側（フック挿通部１側）を向いていることを意味し、「反フック挿通部１側に回る」とは、正面視において上面となる螺旋面が外側（正面視においてフック挿通部１側とは反対側）を向いていることを意味する。
【００１６】
他方の翼部３は、前後方向に延びる板状の中央部３１と、中央部３１の後端から後方下り傾斜で且つ反フック挿通部側に回る螺旋面３２１を有する後方部３２と、中央部３１の前端から前方上り傾斜で且つフック挿通部側に回る螺旋面３３１を有する前方部３３とからなる。中央部３１と後方部３２の境界及び中央部３１と前方部３３の境界は、明確なエッジを形成しておらず、なだらかに形状が変化する。すなわち、中央部３１と後方部３２と前方部３３は、一体化しており、その形状は連続するものである。後方部３２及び前方部３３の最大傾斜角度（α）は、３０〜４０度程度が好ましい。この最大傾斜角度が大きすぎると、最前列の１個の商品でも抜き取り難くなる。この最大傾斜角度が小さすぎると、最前列から２個目以降の商品を取り出し易くなり、盗難抑止効果が低減する。なお、螺旋面を定義する「フック挿通部１側に回る」及び「反フック挿通部１側に回る」とは、前述の通りである。
【００１７】
すなわち、一方の翼部２と他方の翼部３は、正面視形状が、フック挿通部１の軸芯を中心として点対称である。本例では、一方の翼部２と他方の翼部３は、フック挿通部１の軸中心ｏで且つ前後方向の中央を中心として点対称である。すなわち、本例の抑止具１０は、正面視形状と背面視形状が同一に表れ、平面視形状と底面視形状が同一に表れ、右側面視形状と左側面視形状が同一に表れる。図２、３、５及び６中、符号２２ａ、２３ａ、３２ａは翼部の表面を示し、２３ｂ、３２ｂ、３３ｂは裏面を示す。
【００１８】
一方の翼部２と他方の翼部３の厚み（ｔ）は、陳列商品Ａの吊り下げ孔６０に対応するため、吊り下げ孔６０の上下方向の寸法より小さく、例えば２〜３ｍｍ程度でよい。また、中央部２１、３１の前後方向の長さ（ｌ１）は、フック挿通部１の同じ程度の長さでよく、例えば１０〜２０ｍｍ程度である。また、後方部２２、３２の前後方向の長さ（ｌ２）及び前方部２３、３３の前後方向の長さ（ｌ３）は、中央部２１、３１の前後方向の長さ（ｌ１）と同じ程度でよく、例えば１０〜２０ｍｍ程度である。後方部２２、３２の前後方向の長さ（ｌ２）は、陳列商品Ａの幅寸法より小とすれば、最前端の吊り下げ商品Ａ１と最前端から２番目の吊り下げ商品Ａ２とは、同じ吊り下げ姿勢では、商品取り出し抑止具に通すことはできない。このため、複数個の吊り下げ商品を瞬時には引き出せない。これにより、複数個の商品の取り出しには時間を要する。
【００１９】
抑止具１０によれば、陳列商品Ａの吊り下げ孔６０と抑止具１０の断面形状が対応している。そして、抑止具１０の断面形状は、後方から前方にかけて、フックの軸芯を中心に連続的に反時計方向（正面視において）に回転させたように変化する。従って、最前端の吊り下げ商品Ａ１を取り出すには、抑止具１０を回転させながら取り出すか、吊り下げ商品Ａ１を回転させながら取り出すか、あるいは両者を相互に対応させ回転させながら取り出すことになる（図８〜図１４）。
【００２０】
次に、抑止具１０の使用方法について説明する。図７に示すように、抑止具１０は、多数の陳列商品Ａｎ（ｎは整数）を吊り下げるフック５２の最前列の吊り下げ商品Ａ１の手前に装着される。待機姿勢において、抑止具１０の一対の翼部２、３の形状と陳列商品Ａの吊り下げ孔６０の形状は対応しておらず、そのままでは、吊り下げ商品Ａ１は、取り出せない。最前端の吊り下げ商品Ａ１を取り出すには、抑止具１０を回転させるか、吊り下げ商品Ａ１を回転させるか、あるいは両者を相互に回転させ、一対の翼部２、３の形状と陳列商品Ａの吊り下げ孔６０の形状を対応させる。本例では、抑止具１０を固定させ、吊り下げ商品Ａ１を回転させる方法について説明する。
【００２１】
先ず、鉛直姿勢にある吊り下げ商品Ａ１を、吊り下げ孔６０の形状と一対の翼部２、３の形状が対応する位置（符号Ａ）まで、時計回りに回転させる（図８、図１１及び図１２）。次いで、吊り下げ商品Ａ１を手前に引く出すことで、一対の翼部２、３の後方部２２、３２が吊り下げ孔６０に通される。後方部２２、３２の螺旋面２２１、３２１は、後方から前方に向けて反時計回りに傾斜しているため、吊り下げ商品Ａ１はそのまま手前に引くことで、一対の翼部２、３の形状にガイドされ、反時計回りに回転しつつ手前に引き出される。次いで、吊り下げ商品Ａ１が中央部２１、３１に入る際、フック挿通部１が存在するが、吊り下げ商品Ａ１の吊り下げ孔６０の左右方向の中央部は、フック挿通部１を通す大きさの形状に対応しているため、手前への引き出しの障害となることはない。吊り下げ商品Ａ１が中央部２１、３１を通る際、一対の翼部２、３の中央部２１、３１の形状にガイドされ、吊り下げ商品Ａ１は、鉛直姿勢となる（符号Ｂ；図９、図１１及び図１３）。
【００２２】
次いで、吊り下げ商品Ａ１を更に手前に引く。前方部２３、３３の螺旋面２３１、３３１は、後方から前方に向けて反時計回りに傾斜しているため、吊り下げ商品Ａ１はそのまま手前に引くことで、一対の翼部２、３の前方部２３、３３の形状にガイドされ、反時計回りに回転しつつ手前に引き出され（符号Ｃ；図１０、図１１及び図１４）、抑止具１０を抜ける。これにより、フック陳列具から吊り下げ商品Ａ１は取り出される。このように、吊り下げ商品Ａ１は、抑止具１０に掛ける際、孔合わせが必要となるが、それ以降は、そのまま手前にひけば、抑止具１０の形状に沿って（本例では反時計回り）、容易に取り出すことができる。吊り下げ商品Ａ２を取り出す際は、吊り下げ商品Ａ１の取り出しが完了してから行うことになる。なお、抑止具１０は、フック挿通部１が直線状のフック本体部５２１に装着されており、且つ前後方向の長さを有するため、フックの傾斜状の先端部５２２を抜けて外れることはない。
【００２３】
次に、吊り下げ商品Ａの複数個を一度に取り出す際、抑止具１０の取り出し抑止の効果について説明する。先ず、鉛直姿勢にある２個の吊り下げ商品Ａ１、Ａ２を一度に引き出す際、１個の吊り下げ商品Ａ１の引き出しと同様に、吊り下げ孔６０、６０の形状と一対の翼部２、３の形状が対応する位置まで、時計回りに回転させることになる。次いで、先ず、吊り下げ商品Ａ１が手前に引き出される。一対の翼部２、３の後方部２２、３２の前後方向の長さは、吊り下げ商品の幅寸法より小であるため、吊り下げ商品Ａ２が、抑止具１０に入るためには、吊り下げ商品Ａ１が、少なくとも、後方部２２、３２を通り過ぎる必要がある。この場合、吊り下げ商品Ａ１は、中央部２１、３１に位置しており、鉛直姿勢となる。この場合、吊り下げ商品Ａ２は回転しており、傾斜姿勢である。このように、２個の吊り下げ商品Ａ１、Ａ２を、片方の手に持ち、同じ姿勢で重ねた状態で、抑止具１に入れることができない。これは、３個以上の吊り下げ商品についても同様である。このため、フック陳列具から複数個の吊り下げ商品を瞬時には引き出せない。これにより、複数個の商品の取り出しには時間を要するため、複数個の同時盗難を抑止する効果がある。
【００２４】
次に、本発明の第２の実施の形態における抑止具について、図１５及び図１６を参照して説明する。図１５及び図１６の抑止具１０ａにおいて、図１〜図１４の抑止具１０と同一構成要素には同一符号を付して、その説明を省略し、異なる点について主に説明する。すなわち、図１５及び図１６の抑止具１０ａにおいて、図１〜図１４の抑止具１０と異なる点は、抑止具１０ａを一対の半割部材９１ａ、９１ｂの組み付け体とした点である。
【００２５】
抑止具１０ａは、図１の抑止具１０において、フック挿通部１の軸芯が延びる方向で且つ中央部２１、３１の板状の面と平行に切断した半割部材の一対物の嵌合体である。これにより、フック５２への装着が容易となる。なお、一対の半割部材９１ａ、９１ｂは、同一形状であり、一方の半割部材９１ａについて説明し、他方の半割部材９１ｂの説明を省略する。半割部材９１ａは、フック挿通部１と一対の翼部２、３間に、板状の接続部９１１ａを介在させている。すなわち、フック挿通部１の両側には、板状の接続部９１１ａが形成され、一方の接続部９１１ａの裏面には、嵌合用の爪（突起）９１３ａが形成され、他方の接続部９１１ａには、嵌合用の貫通孔９１２ａが形成されている。嵌合用の爪（突起）９１３ａは、先端が鈎状となっており、他方の半割部材９１ｂの貫通孔９１２ｂに係止する。また、嵌合用の貫通孔９１２ａには、他方の半割部材９１ｂの爪９１３ｂが係止する。一対の半割部材９１ａ、９１ｂを組み付けることで、図１６（Ｂ）に示すような抑止具１０ａが完成する。抑止具１０ａは、抑止具１０用の吊り下げ孔と僅かに異なるものの、中央にフック５２に掛る丸孔を有する横長の吊り下げ孔に対応できる。抑止具１０ａにおいても、抑止具１０と同様の作用効果を奏する。
【００２６】
次に、本発明の第３の実施の形態における抑止具について、図１７を参照して説明する。図１７の抑止具１０ｂにおいて、図１〜図１４の抑止具１０と同一構成要素には同一符号を付して、その説明を省略し、異なる点について主に説明する。すなわち、図１７の抑止具１０ｂにおいて、図１〜図１４の抑止具１０と異なる点は、抑止具１０ｂの一対の翼部の形状である。
【００２７】
すなわち、一対の翼部２ｃ、３ｃの中、一方の翼部２ｃは、前後方向に延びる板状の中央部２１ｃと、中央部２１ｃの後端から後方下り傾斜で且つ反フック挿通部１側に回る螺旋面２２１ｃを有する第２後方部２２ｃと、中央部２１ｃの前端から前方上り傾斜で且つフック挿通部１側に回る螺旋面２３１ｃを有する第２前方部２３ｃとからなる。また、他方の翼部３ｃは、前後方向に延びる板状の中央部３１ｃと、中央部３１ｃの後端から後方上り傾斜で且つフック挿通部１側に回る螺旋面３２１ｃを有する第２後方部３２ｃと、中央部３１ｃの前端から前方下り傾斜で且つ反フック挿通部１側に回る螺旋面３３１ｃを有する第２前方部３３ｃとからなる。
【００２８】
すなわち、本例の抑止具１０ｂの断面形状は、後方から前方にかけて、フックの軸芯を中心に連続的に時計方向（正面視において）に回転させたように変化するものである。
【００２９】
次に、抑止具１０ｂの使用方法の一例について説明する。待機姿勢において、抑止具１０ｂの一対の翼部２ｃ、３ｃの形状と陳列商品Ａの吊り下げ孔６０の形状は対応しておらず、そのままでは、吊り下げ商品Ａ１は、取り出せない。最前端の吊り下げ商品Ａ１を取り出すには、抑止具１０と同様、３つの方法があるが、本例では、抑止具１０ｂを固定させ、吊り下げ商品Ａ１を回転させる方法について説明する。
【００３０】
先ず、鉛直姿勢にある吊り下げ商品Ａ１を、吊り下げ孔６０の形状と一対の翼部２ｃ、３ｃの形状が対応する位置まで、反時計回りに回転させる。次いで、吊り下げ商品Ａ１を手前に引く出すことで、一対の翼部２ｃ、３ｃの後方部２２ｃ、３２ｃが吊り下げ孔６０に通される。後方部２２ｃ、３２ｃの螺旋面２２１ｃ、３２１ｃは、後方から前方に向けて時計回りに傾斜しているため、吊り下げ商品Ａ１はそのまま手前に引くことで、一対の翼部２ｃ、３ｃの形状にガイドされ、時計回りに回転しつつ手前に引き出される。次いで、吊り下げ商品Ａ１が中央部２１ｃ、３１ｃに入る際、フック挿通部１が存在するが、吊り下げ商品Ａ１の吊り下げ孔６０の左右方向の中央部は、フック挿通部１を通す大きさの形状に対応しているため、手前への引き出しの障害となることはない。吊り下げ商品Ａ１が中央部２１ｃ、３１ｃを通る際、一対の翼部２ｃ、３ｃの中央部２１ｃ、３１ｃの形状にガイドされ、吊り下げ商品Ａ１は、鉛直姿勢となる。
【００３１】
次いで、吊り下げ商品Ａ１を更に手前に引く。前方部２３ｃ、３３ｃの螺旋面２３１ｃ、３３１ｃは、後方から前方に向けて時計回りに傾斜しているため、吊り下げ商品Ａ１はそのまま手前に引くことで、一対の翼部２ｃ、３ｃの前方部２３ｃ、３３ｃの形状にガイドされ、時計回りに回転しつつ手前に引き出され、抑止具１０ｂを抜ける。これにより、フック陳列具から吊り下げ商品Ａ１は取り出される。抑止具１０ｂにおいて、フック陳列具から複数個の吊り下げ商品を瞬時には引き出せないのは、抑止具１０と同様である。  
【００３２】
本発明は、上記実施の形態例に限定されず、種々の変形を採ることができる。なお、最前端の吊り下げ商品を取り出す方法としては、陳列商品を回転させながら取り出す方法以外に、商品取り出し抑止具を回転させながら取り出す方法又は両者を相互に対応させ回転させながら取り出す方法が挙げられる。例えば、図７において、吊り下げ商品の鉛直姿勢を保持しつつ、取り出すには、先ず、抑止具１０を反時計回りに回転させて、一対の翼部２、３の形状と吊り下げ商品Ａ１の吊り下げ孔６０を対応させる。次いで、そのまま、吊り下げ商品Ａ１を手前に引き出せば、抑止具１０は、吊り下げ孔６０にガイドされて、その場において、時計回りに回転しつつ、吊り下げ孔６０を抜けることになる。なお、この場合においても、複数個の吊り下げ商品を同時に瞬時に引き出せない。
【産業上の利用可能性】
【００３３】
本発明によれば、１個の吊り下げ商品は、片手で容易に取り出せる。このため、顧客を煩わせることない。一方、複数の吊り下げ商品を一度に瞬時に、取り出すことはできず、盗難を抑止することができる。
【符号の説明】
【００３４】
１        フック挿通部
２、２ａ、２ｂ、２ｃ          一対の翼部
３、３ａ、３ｂ、３ｃ          一対の翼部
１０、１０ａ、１０ｂ      抑止具
１２      貫通孔
２１、３１、２１ａ、３１ａ、２１ｂ、３１ｂ、３１ｃ        中央部
２２、３２、２２ａ、３２ａ、２２ｂ、３２ｂ、３２ｃ        後方部
２３、３３、２３ａ、３３ａ、２３ｂ、３３ｂ、３３ｃ        前方部
５２        フック
２２１、３２１    後方部の螺旋面
２３１、３３１    前方部の螺旋面
Ａ、Ａ１、Ａ２・・・        陳列商品（吊り下げ商品）
【図１】
2018015030.tif 000003
【図２】
2018015030.tif 000004
【図３】
2018015030.tif 000005
【図４】
2018015030.tif 000006
【図５】
2018015030.tif 000007
【図６】
2018015030.tif 000008
【図７】
2018015030.tif 000009
【図８】
2018015030.tif 000010
【図９】
2018015030.tif 000011
【図１０】
2018015030.tif 000012
【図１１】
2018015030.tif 000013
【図１２】
2018015030.tif 000014
【図１３】
2018015030.tif 000015
【図１４】
2018015030.tif 000016
【図１５】
2018015030.tif 000017
【図１６】
2018015030.tif 000018
【図１７】
2018015030.tif 000019